(57)【特許請求の範囲】
【請求項１】
移動機と、該移動機と無線で接続される無線基地局と、該無線基地局と接続される無線ネットワーク制御装置と、該無線ネットワーク制御装置と接続される交換機と、該交換機と接続される情報伝達装置よりなる移動通信システムにおいて、
前記移動機に、被害状態を示す被災情報ビットを含む初期信号を送信する信号送受信部を、
前記無線ネットワーク制御装置に、移動機から送信された初期信号に含まれた被災情報ビットを解析する接続要求信号制御部と、該接続要求信号制御部からの制御信号を前記情報伝達装置に送信する第１の緊急メッセージ送受信部と、災害発生時に前記無線ネットワーク制御装置と前記情報伝達装置間の緊急メッセージ送受信のルーティングを交換機経由或いはネットワーク経由から選択可能にするルーティング判定部と、
を具備して構成される緊急情報伝達サービスシステム。
【請求項２】
前記情報伝達装置に、
前記無線ネットワーク制御装置から送信される緊急メッセージを受信する第２の緊急メッセージ送受信部と、
受信した緊急メッセージから被災者の被災情報を特定する伝言メッセージ解析／登録部とを設けたことを特徴とする請求項１記載の緊急情報伝達サービスシステム。
【請求項３】
前記運用管理サーバからの各無線ネットワーク制御装置に対する災害状態の設定／解除により、各無線ネットワーク制御装置の災害状態を管理する災害状態管理部を前記無線ネットワーク制御装置に設けたことを特徴とする請求項１又は２記載の緊急情報伝達サービスシステム。
【請求項４】
局データ又はオペレーション端末の設定により、ルーティングを可能とすることを特徴とする請求項１記載の緊急情報伝達サービスシステム。
【発明の詳細な説明】
【技術分野】
【０００１】
本発明は緊急情報伝達サービスシステムに関し、更に詳しくは移動無線ネットワークにおける災害時の緊急情報伝達サービスシステムに関する。
【背景技術】
【０００２】
移動無線ネットワークは、移動機、無線基地局（ＮｏｄｅＢ）、無線ネットワーク制御装置（ＲＮＣ）、交換機（ＭＳＣ）及び運用管理サーバ（ＯＰＳ）からなり、網を構成している。ＲＮＣはＲａｄｉｏ  Ｎｅｔｗｏｒｋ  Ｃｏｎｔｒｏｌｌｅｒの略であり、ＭＳＣはＭｏｂｉｌ  Ｓｗｉｔｃｈｉｎｇ  Ｃｅｎｔｅｒの略である。図２１は各制御装置とネットワーク構成例を示す図である。図において、１は移動機、２は該移動機１と無線で信号のやりとりをする無線基地局（ノードＢ）、３は該無線基地局２と接続される無線ネットワーク制御装置（ＲＮＣ）、４は該無線ネットワーク制御装置３と接続される交換機（ＭＳＣ）、５は無線ネットワーク制御装置３及び交換機４と接続される運用管理サーバ（ＯＰＳ）である。
【０００３】
無線基地局２は、移動機１からの発信、着信応答信号契機の無線回線接続と、ＭＳＣ４からの着信信号受信により移動機１への着信通知を行なう。ＲＮＣ３は、無線アクセス網を構成し、ＭＳＣ４からの着信信号の受信と、移動機１からの発信要求受信と、移動機１−ＭＳＣ４間の回線呼接続制御と、移動機１へのセル割り当て制御を行なう。
【０００４】
運用管理サーバ（ＯＰＳ）７は、オペレータによるＲＮＣ状態の監視を行なう。また、オペレータによる制御も可能である。ＭＳＣ４は回線交換網を構成し、移動機１からの位置登録、検索、蓄積機能と、無線アクセス網への着信要求と、無線アクセス網からの接続要求及び回線交換レベルの呼接続制御を行なう。以下、各構成要素の動作を更に詳しく説明する。
【０００５】
移動機１は、無線基地局２を経由してＲＮＣ３に対して接続要求信号を契機に交換網との接続を行ない、位置登録や通常の呼接続等を行なう。
無線基地局（ノードＢ）２は、複数の小無線ゾーン（セル化）制御を行ない、複数セルを介して複数移動機との多重通信を可能とし、移動機１からの呼制御信号（発信，位置登録）をＲＮＣ３へ中継する能力と、ＲＮＣ３からの無線回線制御信号を移動機１へ中継する能力を具備する。以降、無線基地局をノードＢと呼ぶことにする。
【０００６】
ＲＮＣ３は、対ＲＮＣ、対ノードＢ間の無線回線制御、呼接続（終話）制御、移動（ハンドオーバ）制御、及び移動機１の通信速度制御等を行なう。発信（位置登録）時は、ノードＢ経由の信号をＭＳＣ４に送信後、該当ノードＢとの無線回線制御を行ない、着信時はＭＳＣ４からの信号を移動機１の近隣に存在する複数のノードＢに同報し、移動機１が在圏するノードＢを経由して応答を受信すると、発信時と同様な接続制御（回線制御）を行なう。以降、無線ネットワーク制御装置をＲＮＣと呼ぶことにする。
【０００７】
ＭＳＣ４は、無線アクセス網と一般回線交換網の接続ノードであり、無線アクセス網からの呼接続（位置登録）要求が該交換網外の場合、対ＭＳＣ間との接続制御を行ない、該交換網外からの着信要求の場合には、着信先移動機の位置情報が該交換網内の場合に、該当エリアのＲＮＣに着信信号を同報する。また、パケット通信の交換を行なう接続モードは×ＧＳＮとも呼ばれるが、ここではその交換網も同じものとして記述する。以下、交換機をＭＳＣと呼ぶことにする。ＯＰＳ７は、オペレータによるＲＮＣ状態の監視や制御を行なう。
【０００８】
図２２は従来の情報伝達シーケンスを示す図である。先ず移動機よりＲＮＣに対してＲＡＣＨ（ＲＲＣ  ＣＯＮＮ  ＲＥＱ）が送信される（Ｓ１）。ＲＮＣでは、この送信を受けてノードＢに対してＲＬ  ＳＥＴＵＰ  ＲＥＱを送信する（Ｓ２）。この送信を受けたノードＢはＲＮＣに対してＲＬ  ＳＥＴＵＰ  ＲＥＳＰを返信する（Ｓ３）。この送信を受けたＲＮＣはノードＢに対してＥＲＱを返信する（Ｓ４）。この返信を受けたノードＢはＲＮＣに対してＥＣＦを送信する（Ｓ５）。
【０００９】
次に、ＲＮＣは移動機に対してＲＲＣ  ＣＯＮＮ  ＳＥＴＵＰを送信する（Ｓ６）。これを受けた移動機はＲＮＣに対してＲＲＣ  ＣＯＮＮ  ＳＥＴＵＰ  ＲＥＳＰを返す（Ｓ７）。次に、移動機はＭＳＣに対してＲＮＣを経由してＩｎｉｔｉａｌ  Ｄｉｒｅｃｔ  Ｔｒａｎｓｆｅｒ（ＣＭ  Ｓｅｒｖｉｃｅ  Ｒｅｑｕｅｓｔ）を送信する（Ｓ８）。この送信を受けたＭＳＣは、ＲＮＣを経由して移動機にＤｏｗｎ  Ｌｉｎｋ  Ｄｉｒｅｃｔ  Ｔｒａｎｓｆｅｒ（Ａｕｔｈｅｎｔｉｏｃａｔｉｏｎ）を返す（Ｓ９）。
【００１０】
この返信を受けて、移動機はＤｏｗｎ  Ｌｉｎｋ  Ｄｉｒｅｃｔ  Ｔｒａｎｓｆｅｒ（Ａｕｔｈｅｎｔｉｃａｔｉｏｎ  Ｒｅｓｐｏｎｓｅ）をＲＮＣを経由してＭＳＣに送信する（Ｓ１０）。この送信を受けて、ＭＳＣはＲＮＣを経由して移動機にＳｅｃｕｒｉｔｙ  Ｍｏｄｅ  Ｃｏｍｍａｎｄを送信する（Ｓ１１）。この送信を受けて、移動機はＲＮＣを経由してＭＳＣにＳｅｃｕｒｉｔｙ  Ｍｏｄｅ  Ｃｏｍｐｌｅｔｅを返送する（Ｓ１２）。
【００１１】
次に、移動機は発信者の状況をパケットデータとしてＭＳＣを経由して情報伝達装置に送信する（Ｓ１３）。次に、移動機はＲＮＣを経由してＭＳＣに対してＵｐｌｉｎｋ  Ｄｉｒｅｃｔ  Ｔｒａｎｓｆｅｒ（ＤＩＳＣＯＮＮ）を送信する（Ｓ１４）。次に、ＭＳＣからＲＮＣに対してＩｕ  ＲＥＬ  ＣＯＭＭＡＮＤを送信する（Ｓ１５）。この送信を受けたＲＮＣは移動機に対してＲＲＣ  ＣＯＮＮ  ＲＥＬを送信する（Ｓ１６）。
【００１２】
次に、この送信を受けて移動機１からＲＮＣに対してＲＲＣ  ＣＯＮＮ  ＲＥＬ  ＣＯＭＰＬＥＴＥを送信する（Ｓ１７）。ＲＮＣはこの送信を受けてノードＢに対して、ＲＬ  ＤＥＬ  ＲＥＱを送信する（Ｓ１８）。ノードＢは、この送信を受けるとＲＮＣに対してＲＬ  ＤＥＬ  ＲＥＳＰを返す（Ｓ１９）。この送信を受けたＲＮＣはノードＢに対してＲＥＬを送信し（Ｓ２０）、この送信を受けたノードＢはＲＮＣに対してＲＬＣを返す（Ｓ２１）。
【００１３】
以上、説明したように従来の処理では複雑なシーケンスをとっている。図２３は既存のＲＡＣＨ信号を示す図である。ＲＡＣＨ信号は、移動機１からの初期信号でのことである。
【００１４】
従来のこの種技術としては、災害やテロ発生等の緊急時において、発信や連続通話可能時間が適切に規制され、通信サービスが全く利用できなくなるといった事態を回避するようにした技術が知られている（例えば特許文献１参照）。また、携帯電話から安否情報を所定のフォーマット形式で入力し、電話局では、携帯電話から送信されたフォーマット形式の安否情報を受信して電話番号と対応付けて登録管理し、電話機或いはパソコンからの安否情報の問い合わせに対して、音声情報に変換或いは表示形式に変換指定出力するものが知られている（例えば特許文献２参照）。また、災害発生直後に通信回線の輻輳状態に影響されることなく、即時に被災者の安否情報を収集し、その安否情報を公開するようにした技術が知られている（例えば特許文献３参照）。
【特許文献１】特開２００３−２８９５８４号公報（段落００１５〜００２２、図１、図２）
【特許文献２】特開２００４−２５４１９７号公報（段落０００９〜００１４、図１、図３）
【特許文献３】特開２００５−８０２１１号公報（段落００３６〜００５０、図１）
【発明の開示】
【発明が解決しようとする課題】
【００１５】
近年、地震災害等が各地で発生しており、特にＭ６等の重度の地震被害が発生した場合、携帯電話による被災地への家族，知人，友人等の安否確認及び被災地からの安否連絡が多発し、移動通信システムの輻輳が発生しやすくなる。また、移動通信システムでは、地震発生時においては規制処理を行なうため、更につながりにくい状態となり、安否確認ができない携帯電話利用者は何度もかけ直しを行なうため、更に輻輳状態が悪化し、最悪の場合には、移動通信システムのダウンによる長時間通信不可という状況になり、いつまでも安否確認ができない状況となるという問題がある。
【００１６】
災害伝言サービスのようなサービスが提供されているが、これは伝言板に接続することが前提であり、重度の輻輳状態では、被災地からの接続を行なうこと自体が難しく安否確認情報の登録を行なうことが困難である。また、伝言板への接続における制御そのものがシステムの輻輳につながるため、即時に情報伝達が行えないという問題がある。また、再接続を繰り返すことによるシステムの２次輻輳の危険性もある。
【００１７】
本発明はこのような課題に鑑みてなされたものであって、無線基地局を中心に移動体通信サービス全体から見て回線が繋がりにくくなり、サービスが全く利用できなくなるという事態を回避することができる緊急情報伝達サービスシステムを提供することを目的としている。
【課題を解決するための手段】
【００１８】
（１）請求項１記載の発明は、移動機と、該移動機と無線で接続される無線基地局と、該無線基地局と接続される無線ネットワーク制御装置と、該無線ネットワーク制御装置と接続される交換機と、該交換機と接続される情報伝達装置よりなる移動通信システムにおいて、前記移動機に、被害状態を示す被災情報ビットを含む初期信号を送信する信号送受信部を、前記無線ネットワーク制御装置に、移動機から送信された初期信号に含まれた被災情報ビットを解析する接続要求信号制御部と、該接続要求信号制御部からの制御信号を前記情報伝達装置に送信する第１の緊急メッセージ送受信部と、災害発生時に前記無線ネットワーク制御装置と前記情報伝達装置間の緊急メッセージ送受信のルーティングを交換機経由或いはネットワーク経由から選択可能にするルーティング判定部と、を具備して構成されることを特徴とする。
【００１９】
（２）請求項２記載の発明は、前記情報伝達装置に、前記無線ネットワーク制御装置から送信される緊急メッセージを受信する第２の緊急メッセージ送受信部と、受信した緊急メッセージから被災者の被災情報を特定する伝言メッセージ解析／登録部とを設けたことを特徴とする。
【００２０】
（３）請求項３記載の発明は、前記運用管理サーバからの各無線ネットワーク制御装置に対する災害状態の設定／解除により、各無線ネットワーク制御装置の災害状態を管理する災害状態管理部を前記無線ネットワーク制御装置に設けたことを特徴とする。
【００２１】
（４）請求項４記載の発明は、局データ又はオペレーション端末の設定により、ルーティングを可能とすることを特徴とする。
【００２２】
（５）請求項５記載の発明は、局データ又はオペレーション端末の設定により、ルーティングを可能とすることを特徴とする。
また、この発明において、前記無線ネットワーク制御装置に宛先サーバ判定部を設け、前記移動機から送信される初期信号の被災情報ビットに接続先情報伝達装置に関する情報を設定することを特徴とする。
【００２３】
また、この発明において、局データ又はオペレーション端末又は移動機の宛先指定を行なうことを特徴とする。
【発明の効果】
【００２４】
（１）請求項１記載の発明によれば、規制時においても従来の移動体通信網を用いて被害者の被災状況を情報伝達装置に登録することが可能となる。また、被災者はＲＡＣＨ信号を規制するような重度なシステム異常状態でないかぎり、輻輳時においても現在の被災状況を登録することが可能となるため、従来のかけ直し等によるネットワーク輻輳を防ぐことが可能となる。また、本発明では信号処理を簡略化しているため、従来のネットワーク手段による信号のやりとりに比べシーケンス数がほぼ１／１０になるため、概算で１０倍程度の処理能力を向上させることができ、輻輳を緩和することが可能となる。
【００２５】
（２）請求項２記載の発明の効果は、請求項１と同じである。
（３）請求項３記載の発明によれば、ＲＮＣで災害状態の管理を行ない、災害状態が解除されている場合は緊急メッセージ信号をＲＮＣで破棄することにより、不要なＲＡＣＨ信号の受信を抑止することができ、不要なトラヒック増大を抑止することが可能となる。
【００２７】
（４）請求項４記載の発明によれば、災害状態でＣＮ（網側）が輻輳している場合に、手動或いは自動でインターネット等のネットワーク経由で緊急メッセージを送ることができる。
【発明を実施するための最良の形態】
【００２８】
以下、図面を参照して本発明の実施の形態例を詳細に説明する。図１は本発明の動作概要を示す図、図２は本発明の情報伝達シーケンスを示す図である。図２に示すシーケンス図から説明する。本発明によれば、移動機からＲＮＣへＲＡＣＨ（ＲＲＣ  ＣＯＮＮ  ＲＥＱ）を送信する（Ｓ１）。本発明発明によれば、この時に災害情報ビットを付加して送信する。
【００２９】
また、移動機加入者識別番号（移動機特有の番号）も付加して送信する。この送信を受けたＲＮＣでは、災害情報を含むＲＡＣＨと判断し、ＭＳＣに緊急伝言メッセージを送信する（Ｓ２）。この送信を受けたＭＳＣでは、情報伝達装置に対して緊急伝言メッセージを送信する（Ｓ３）。該情報伝達装置では、移動機加入者識別番号に対応する加入者の状態に通知状態を設定する（Ｓ４）。図２２に示す従来のシーケンスと比較してシーケンスの数が大幅に減少したことが分かる。
【００３０】
次に、図１について説明する。現在の移動無線ネットワーク（ＩＭＴシステム等）においては、呼接続やパケット通信には、無線区間の設定手順及びＣＮ（Ｃｏｒｅ  Ｎｅｔｗｏｒｋ：コアネットワーク）への接続手順が必要であり、接続までのメッセージ数やデータ量が大きいことが災害時の輻輳状態を加速させる要因となっている（図２２参照）。そのため、災害時における呼接続やパケット接続の手順を簡略化することにより、通常呼の規制と分離し、災害時の緊急情報伝達を即時に行なうことが可能となる（図２参照）。以下、本発明の概要について説明する。
【００３１】
図１において、１は移動機、２は該移動機１と無線で接続される無線基地局（ノードＢ）、３はノードＢと接続される無線ネットワーク制御装置（ＲＮＣ）、５は該ＲＮＣ３と接続されるコアネットワーク（ＣＮ）、６は該ＣＮ４と接続される情報伝達装置である。
【００３２】
１）移動機１に災害伝言メニューを予め作成する。本発明の動作は、以下の通りである。
２）災害時、ユーザがメニューから予め決められた伝言を選択する。
【００３３】
メニューの例としては、以下のようなものがある。
（ａ）災害被害無し
（ｂ）災害多少あり、生活問題無し
（ｃ）被害大、怪我有り
（ｄ）被害大、生活ライン不通
３）ユーザが伝言送信を行なうと、移動機１から初期信号（ＲＡＣＨ信号）を送信する。
【００３４】
ＲＡＣＨ信号は、従来の位置登録や発信時に送信されるが、この信号に上記２）に対応した被災情報ビットを設定する。
４）ＲＮＣ３は、ＲＡＣＨ信号の被災情報ビットを判断することで、従来の無線区間の設定を省略し、ＣＮ（網側）に緊急伝言メッセージを転送する。
【００３５】
５）ＣＮは、情報伝達装置６に緊急伝言メッセージを転送する。
６）情報伝達装置６は、緊急伝言メッセージに含まれる移動機加入者識別番号から加入者を特定し、ＲＡＣＨ信号に登録されている被災情報ビットから加入者の被災状況を判断し、この被災情報を内部情報として保持する。
【００３６】
このような一連のシーケンスにより、必要最小限の情報のやりとりで被災者情報の登録が可能となる。
図３は本発明の一実施の形態例を示すブロック図である。図１と同一のものは、同一の符号を付して示す。図中、破線で示した部分が本発明で新規に設けた部分、或いは改造した部分を示している。図において、１は移動機、２はノードＢ、３はＲＮＣ、４はＭＳＣ、６は情報伝達装置である。
【００３７】
移動機１において、１ａは信号送受信部である。ＲＮＣ３において、１０は呼処理部である。呼処理部１０において、１１は緊急メッセージ送受信部、１２は接続要求信号制御部である。ＲＮＣ３において、３ａは局データ部、３ｂはトラヒック観測部、３ｃは宛先サーバ判定部、３ｄはルーティング判定部、３ｅは災害状態管理部である。
【００３８】
情報伝達装置６において、６ａは伝言メッセージ機能部、６ｂは緊急メッセージ送受信部、６ｃは伝言メッセージ解析／登録部である。以下、各構成要素についてその機能を詳細に説明する。
【００３９】
（ａ）信号送受信部１ａ
移動機１からの初期信号（ＲＡＣＨ）送受信時制御を行なう。本発明では、被災時等の輻輳状態と判定された場合、移動機１のメニューから被災情報ビットの登録を行なうことが可能となる。被災者がこのメニューから情報送信を行なった場合、ＲＡＣＨ信号に被災情報ビットを設定し、送信を行なう。
【００４０】
（ｂ）呼処理部１０
ＲＮＣ３内で、移動機１からの接続要求による呼の確立処理や切断要求による呼の開放等の処理を行なう。移動機１からの発信／位置登録時等に、ＲＡＣＨ信号をＲＮＣ３に対して送信するが、ＲＮＣ３内でこの信号の制御を行なう接続要求信号制御部１２により、ＲＡＣＨ信号の解析を行なっている。
【００４１】
（ｃ）災害状態管理部３ｅ
ＲＮＣ３において、情報伝達装置６からの災害状態の設定／解除指示により、各ＲＮＣ３における災害状態の管理を行なう。災害状態は、オンの時災害状態とし、オフの時通常状態とする。ＲＮＣ３では、本機能部での災害状態を判定し、設定されている場合は、被災情報ビットが設定されたＲＡＣＨ信号の解析を行ない、解除の場合には、被災情報ビットが設定されたＲＡＣＨ信号は廃棄する。
【００４２】
（ｄ）接続要求信号制御部１２
ＲＮＣ３にて、移動機１から送信されるＲＡＣＨ信号の制御処理を行なう。本発明では、従来のＲＡＣＨ信号のフォーマットに被災情報ビットを新たに追加するため、本制御部にてＲＡＣＨ信号の被災情報ビットを解析する機能を追加する。
【００４３】
（ｅ）ルーティング判定部３ｄ
ＲＮＣ３において、ＣＮ（網側）経由でのメッセージ送信を行なうか、ネットワーク経由でのメッセージ送信を行なうかのルーティング判定を行なう。ルーティング情報の判定としては、情報伝達装置６からの手動設定／トラヒック状況による自動設定／局データによる設定がある。ルーティング経路がＣＮ（網側）経由と設定された場合は、従来の通信方式と同様に、交換機経由で緊急メッセージ信号を送出するが、ネットワーク経由が設定されていた場合は、ＲＮＣ３からインターネット等の通信路を介して、情報伝達装置６へ緊急メッセージ信号を送信する。
【００４４】
（ｆ）宛先サーバ判定部３ｃ
ＲＮＣ３において、移動機１からの緊急メッセージをどの情報伝達装置６へ送信するかを決定する。宛先の決定方法としては、情報伝達装置６からの手動設定／トラヒック状況による自動設定／局データによる設定等がある。また、移動機１から送信されるＲＡＣＨ信号の被災情報ビットを拡張し、宛先情報を本ビットに設定することにより、実現することも可能である。
【００４５】
（ｇ）緊急メッセージ送受信部１１
ＲＮＣ３にて、ＣＮ（網側）／情報伝達装置との緊急メッセージの送受信を行なうインタフェース機能を提供する。接続要求信号制御部１２にて、ＲＡＣＨ信号の被災情報ビットを検出した際に、本インタフェース経由で情報伝達装置６へ緊急メッセージの送信及び受信を行なう。
【００４６】
（ｈ）情報伝達装置６
情報伝達装置は、各移動機１から収集した加入者の被災状況を登録し、被災者の知人、家族、友人等がその登録された被災状況を確認可能となる出力機能を持つ。
【００４７】
（ｉ）緊急メッセージ送受信部６ｂ
情報伝達装置６にて、ＣＮ（網側）／ＲＮＣ３との緊急メッセージの送受信を行なうインタフェース機能を提供する。ＲＮＣ３より、ＣＮ（網側）経由で送信された制御信号の送受信又は、ＲＮＣ３からネットワーク経由で送信された緊急メッセージ信号の送受信を行ない、伝言メッセージ解析／登録部６ｃへ本信号情報を転送する。
【００４８】
（ｊ）伝言メッセージ解析／登録部６ｃ
ＲＮＣ３で緊急メッセージが送信されたと判定した場合、本処理部にてデータの解析及び伝言メッセージ機能部６ａへの送信を行なう。この場合、送信されたデータに含まれる被災情報ビット及び移動機加入者識別番号から該当する加入者の被害状況を判定し、その被害状況を伝言メッセージ機能部６ａに送る。
【００４９】
（ｋ）伝言メッセージ機能部６ａ
本機能部では、被災者の被害状況の登録を行なう機能を提供する。従来の伝言サービス等で使用されている機能であり、本発明においては、伝言メッセージ解析／登録部６ｃにて登録可能な形式に変換後、被災者の情報登録処理を行なうため、本機能による変更は不要となる。
【００５０】
（実施の形態例１）
実施の形態例１は、請求項１，２を実現するための実施例である。
１）災害発生時、信号送受信部１ａを持つ移動機１の利用者は、災害メニューから自分の災害状態を設定することができる。本実施例では、２ビットの情報量により、以下に示す４段階の災害状況を設定できるものとする。
（ａ）災害被害無し
（ｂ）災害多少あり、生活問題無し
（ｃ）被害大、怪我有り
（ｄ）被害大、生活ライン不通
本実施例では、２ビットという少ない情報量で、被災者の最低限の状態を確認可能であるという例を挙げているが、それ以上の情報量を設定し、より詳しい被災者の状況を登録することも可能である。
【００５１】
２）ユーザが選択したメニューにより、移動機１の信号送受信部１ａはＲＡＣＨ信号に災害情報ビットを設定する。図２３に既存のＲＡＣＨ信号フォーマット、図４及び図５に本発明を実現するためのＲＡＣＨ信号フォーマットを示す。図６は図５において予め作成したメニューを示す図であり、図７は本発明のエスタブリッシュメントコーズ（Ｅｓｔａｂｌｉｓｈｍｅｎｔ  Ｃａｕｓｅ）の設定例を示す図である。
【００５２】
図４の案では、既存のＲＡＣＨ信号フォーマットを拡張し、新たに被災情報ビットを設定するためのエリアを設け、そこに前述した被災者の状態を設定することができる。図５の案では、既存のＲＡＣＨフォーマットを利用し、エスタブリッシュメント  コーズのエリアに被災情報ビットを設定することにより、被災者の状態を設定することができる。図４，図５どちらの案でも実現可能であるが、本実施例では、図５の方式で説明を行なう。つまり、以下の対応をとる。
・エスタブリッシュメント  コーズ＝エマージェンシーレベル１：メニューの“災害被害無し”の状態
・エスタブリッシュメント  コーズ＝エマージェンシーレベル２：メニューの“災害多少あり、生活問題無し”の状態
・エスタブリッシュメント  コーズ＝エマージェンシーレベル３：メニューの“被害大、怪我有り”の状態
・エスタブリッシュメント  コーズ＝エマージェンシーレベル４：メニューの“被害大、生活ライン不通”の状態
ユーザが（ｃ）“被害大、怪我有り”を設定した場合、エスタブリッシュメント  コーズにエマージェンシーレベル３を設定する。
【００５３】
図８は本発明の第１の動作説明図、図９はＲＡＣＨ信号の初期ＵＥアイデンティティフォーマットを示す図、図１０はＩＭＳＩ（ＧＳＭ−ＭＡＰ）を示す図、図１１はＴＭＳＩ（ＧＳＭ−ＭＡＰ）を示す図、図１２はＰ−ＴＭＳＩ（ＧＳＭ−ＭＡＰ）を示す図、図１３は情報伝達装置の動作を示す図である。以上のように構成されたシステムの動作を以下に説明する。
【００５４】
３）移動機１から被災情報ビットを設定したＲＡＣＨ信号が、ＲＮＣ３の呼処理部１０に送信される。該呼処理部１０の接続要求信号制御部１２にてＲＡＣＨ信号の災害情報ビットの判定を行なう。
（i）ＲＮＣ３の呼処理部１０で移動機１からの信号を受信する。
（ii）呼処理部１０でＲＡＣＨ信号かどうかの判定を行なう。ＲＡＣＨ信号以外の場合は
、既存の呼処理動作を行なう。ＲＡＣＨ信号の場合には、接続要求信号制御部１２の処理を開始する。
（iii）接続要求信号制御部１２で、ＲＡＣＨ信号の被災情報ビットの解析を行なう。被災情報ビットつまりエスタブリッシュメント  コーズがエマージェンシーレベル１又は２又は３又は４の場合、緊急メッセージ送信処理を行なうため、通常の呼動作と分離し、緊急メッセージ送受信部１１に信号を送る。被災情報ビットが設定されていない場合は、既存のＲＡＣＨ信号処理動作を行なう。
【００５５】
４）緊急メッセージ送受信部１１で、被災情報ビットが設定されたＲＡＣＨ信号にヘッダ情報を付加し、ＣＮ（網側）５経由で情報伝達装置６へ本緊急メッセージ信号を送信する。
【００５６】
５）図１３に情報伝達装置６の動作を示す。該情報伝達装置６は、４）でＲＮＣ３から送信された緊急メッセージ信号を緊急メッセージ送受信部６ｂで受信し、伝言メッセージ解析／登録部６ｃへ本メッセージを送る。
【００５７】
６）情報伝達装置６の伝言メッセージ解析／登録部６ｃで、緊急メッセージ信号の解析を行なう。本処理では、緊急メッセージに含まれる被災情報ビット及び移動機加入者識別番号から該当する加入者の被害状況を判定し、その被害状況を伝言メッセージ機能部６ａに送る。移動機加入者識別番号には、加入者の個人情報が含まれているため、被害者名等が特定可能であり、被災情報ビットよりその人がどのような被災状態にあるのか判定可能である。移動機加入者識別番号のフォーマットを図９〜図１２に示す。本緊急メッセージの移動機加入者識別番号からＡさんが送ってきたと特定できた場合、Ａさんはエマージェンシーレベル３、つまり被害大、怪我有りの状態であることが分かる。
【００５８】
７）６）の情報を元に、伝言メッセージ機能部６ａにて伝言メッセージの登録を行なう。これにより、被害者の知人、家族、友人は、伝言メッセージを参照することにより、Ａさんの被災状況を確認することが可能となる。
【００５９】
（実施の形態例２）
実施の形態例２は、請求項３を実現する実施例である。図１４及び図１８を用いて本実施例を説明する。基本動作は実施の形態例１と同様のため、以下請求項３の差分のみ記載する。
【００６０】
１）通常状態では、災害状態管理部３ｅの災害状態をオフとする。
２）災害発生時には、ＯＰＳ端末７からＲＮＣ３に対して災害状態の送信を行なう。この時、災害状態管理部３ｅの災害状態の設定をオンとする。
【００６１】
３）実施の形態例１の１），２）と同様。
４）移動機１から被災情報ビットを設定したＲＡＣＨ信号が、ＲＮＣの呼処理部１０に送信される。呼処理部１０で災害状態管理部３ｅの災害状態を参照する。災害状態がオンの場合には、実施の形態例１の３）〜７）の処理を行なう。オフの場合には、接続要求信号制御部１２にてＲＡＣＨ信号の被災情報ビットの解析を行なう。被災情報ビットが設定されていた場合、このＲＡＣＨ信号は破棄する。被災情報ビットが設定されていない場合には、通常のＲＡＣＨ信号と判定し、従来の信号処理を行なう。
【００６２】
５）災害終了後、ＯＰＳ端末７からＲＮＣ３に対して、災害状況の送信を行なう。この時、災害状態管理部の災害状態の設定をオフにする。
この実施の形態例２によれば、ＲＮＣ３で災害状況の管理を行ない、災害状態が解除されている場合は、緊急メッセージ信号をＲＮＣで破棄することにより、不要なＲＡＣＨ信号の受信を抑止することができ、不要なトラヒック増大を抑止可能となる。
【００６３】
（実施の形態例３）
実施の形態例３は、請求項４，５を実現する実施例である。図１５，図１９を用いて本実施例を説明する。基本動作は実施の形態例１と同じであるため、以下、請求項４，５の差分のみ記載する。
【００６４】
１）実施の形態例１）から３）と同様である。
２）ＲＮＣ３のルーティング判定部３ｄにより、ＣＮ（網側）経由でのメッセージ送信を行なうか、ネットワーク経由でのメッセージ送信を行なうかのルーティング処理を行なう。どちらのルーティングを行なうかの決定方法として、以下の３つの決定方法がある。
（ａ）トラヒック状況による決定
（ｂ）オペレーション端末からの設定による決定
（ｃ）局データ情報による決定
（ａ）の場合、ＲＮＣ３のトラヒック観測部３ｂ（図３参照）からＣＮ（網側）のトラヒック状況を参照し、その結果を元にＣＮ経由でのメッセージ送信を行なうか、ネットワーク経由でのメッセージ送信を行なうかのルーティング判定を行ない、その結果を元に緊急メッセージ送受信部１１にて緊急メッセージの送信を行なう。トラヒックの判定基準としては、ＲＮＣ３で閾値を設け、その値を上回ればＣＮ経由での送信を行わず、ネットワーク経由での通信を行なうようする。その後の処理は、実施の形態例の５）〜７）と同様である。
【００６５】
（ｂ）の場合、オペレーション端末７からの設定により、ＣＮ経由でのメッセージ送信を行なうか、ネットワーク経由でのメッセージ送信を行なうかのルーティング設定を行ない、その結果を元に緊急メッセージ送受信部１１にて緊急メッセージの送信を行なう。その後の処理は、実施の形態例の５）〜７）と同様である。
【００６６】
（ｃ）の場合、局データに含まれるルーティング情報の読み込みにより、ＣＮ経由でのメッセージ送信を行なうか、ネットワーク経由でのメッセージ送信を行なうかのルーティング判定を行ない、その結果を元に緊急メッセージ送受信部１１にて緊急メッセージの送信を行なう。その後の処理は、実施の形態例の５）〜７）と同様である。
【００６７】
この実施の形態例によれば、ＲＮＣで災害状態の管理を行ない、災害状態が解除されている場合は緊急メッセージ信号をＲＮＣ３で破棄することにより、不要なＲＡＣＨ信号の受信を抑止することができ、不要なトラヒック増加を抑止することが可能となる。
【００６８】
（実施の形態例４）
図１６、図２０を用いて本実施例を説明する。基本動作は実施の形態例１と同様であるため、差分のみ記載する。
１）実施の形態例１の１）〜３）と同様である。但し、下記（iii）の場合には一部処理変更を行なう。
２）ＲＮＣ３の宛先サーバ判定部３ｃにて、どの情報伝達装置へ緊急メッセージを送信するかを決定する。決定方法として、下記の３つの判定方式がある。
（i）オペレーション端末５からの設定による判定
（ii）局データによる判定
（iii）移動機のＲＡＣＨ信号による判定
（i）の場合、オペレーション端末７からの設定により、どの情報伝達装置６へ緊急メ
ッセージを送信するかの決定を行なう。その結果を元に、緊急メッセージ送受信部１１にて、該当する宛先をヘッダに設定し緊急メッセージの送信を行なう。その後の処理は実施の形態例１の５）〜７）と同様である。
【００６９】
（ii）の場合、局データに含まれる宛先情報の読み込みにより、情報伝達装置６へ緊急
メッセージを送信するかの決定を行なう。その結果を元に、緊急メッセージ送受信部１１にて、該当する宛先をヘッダに設定し、緊急メッセージの送信を行なう。その後の処理は実施の形態例１の５）〜７）と同様である。
【００７０】
（iii）の場合、移動機１からのＲＡＣＨ信号送信時に被災情報ビットへ宛先サーバ情報を設定し、ＲＮＣ３の接続要求信号制御部１２にて本情報を読み取り、宛先情報を宛先サーバ判定部３ｃに設定する。その結果を元に緊急メッセージ送受信部１１にて、該当する宛先をヘッダに設定し、緊急メッセージの送信を行なう。その後の処理は、実施の形態例１の５）〜７）と同様である。
【００７１】
この実施の形態例によれば、登録する情報伝達装置を選択可能となるため、情報伝達装置の負荷を分散することが可能となる。また、ユーザが自分の登録したいサーバを選択可能となるため、知人等に事前にどのサーバに登録するかを周知しておけば、被災者の状況をより早く知ることが可能となる。
【００７２】
図１７は本発明の第１の動作シーケンスを示す図である。先ず、移動機１のメニュー１ｂから災害状態を選択する（Ｓ１）。信号送受信部１ａは、ＲＡＣＨ信号に被災情報ビットを設定し、緊急メッセージを接続要求信号制御部１２に送信する（Ｓ２）。該接続要求信号制御部１２は、この送信を受けると、ＲＡＣＨ信号の解析を行ない、被災情報ビットの判定を行なう（Ｓ３）。判定結果は緊急メッセージ送受信部１１に送信される。該緊急メッセージ送受信部１１は、被災情報ビットが設定されていた場合、ヘッダを付加し、ＣＮ経由で情報伝達装置６へ緊急メッセージを送信する（Ｓ４）。情報伝達装置６では、被災情報ビットと移動機加入者識別番号より加入者の被災状況を判断し、この被災情報を内部情報として保持する（Ｓ６）。
【００７３】
図１８は本発明の第２の動作シーケンスを示す図である。先ず、移動機１のメニュー１ｂから災害状態を選択する（Ｓ１）。信号送受信部１ａは、ＲＡＣＨ信号に被災情報ビットを設定し、緊急メッセージを接続要求信号制御部１２に送信する（Ｓ２）。該接続要求信号制御部１２は、災害状態管理部３ｅに緊急メッセージを送信し、該災害状態管理部３ｅは災害状態を問い合わせる（Ｓ３，Ｓ４）。接続要求信号制御部１２は、Ｓ３，Ｓ４の災害状態がオンの場合、ＲＡＣＨ信号の解析を行ない、被災情報ビットの判定を行なう。オフの場合には、本信号は破棄される（Ｓ５）。
【００７４】
この判定結果は、緊急メッセージ送受信部１１に送信される。該緊急メッセージ送受信部１１は、被災情報ビットが設定されていた場合、ヘッダを付加し、ＣＮ経由で情報伝達装置６へ緊急メッセージを送信する（Ｓ７）。該情報伝達装置６は、被災情報ビットと移動機加入者識別番号より加入者の被災状況を判断し、この被災情報を内部情報として保持する（Ｓ８）。
【００７５】
図１９は本発明の第３の動作シーケンスを示す図である。先ず、移動機１のメニュー１ｂから災害状態を選択する（Ｓ１）。信号送受信部１ａは、ＲＡＣＨ信号に被災情報ビットを設定し、緊急メッセージを接続要求信号制御部１２に送信する（Ｓ２）。該接続要求信号制御部１２は、被災情報ビットの判定を行ない、緊急メッセージ送受信部１１へ送信する（Ｓ３）。一方、ルーティング判定部３ｄは、ルーティング情報設定（ＯＰＳまたは局データ又はトラヒックより設定する）を行なう（Ｓ４）。
【００７６】
緊急メッセージ送受信部１１は、ルーティング判定部３ｄにアクセスし、ルーティング情報を読み出す（Ｓ５，Ｓ６）。該緊急メッセージ送受信部１１は、被災情報ビットが設定されていた場合、ヘッダを付加し、Ｓ５，Ｓ６のルーティング情報に従い、ＣＮ経由又はインターネット経由で緊急メッセージを情報伝達装置６へ送信する（Ｓ７）。該情報伝達装置６は、被災情報ビットと移動機加入者識別番号より加入者の被災状況を判断し、この被災情報を内部情報として保持する（Ｓ８）。
【００７７】
図２０は本発明の第４の動作シーケンスを示す図である。先ず、移動機１のメニュー１ｂから災害状態を選択する（Ｓ１）。信号送受信部１ａは、ＲＡＣＨ信号に被災情報ビットを設定し、緊急メッセージを接続要求信号制御部１２に送信する（Ｓ２）。該接続要求信号制御部１２は、被災情報ビットの判定を行ない、その結果を緊急メッセージ送受信部１１に送信する（Ｓ３）。一方、宛先サーバ判定部３ｃは、宛先サーバを設定（ＯＰＳ又は局データ又はＲＡＣＨ信号より設定）する（Ｓ４）。
【００７８】
緊急メッセージ送受信部１１は、宛先サーバ判定部３ｃにアクセスし、宛先サーバ情報を読み出す（Ｓ５，Ｓ６）。次に、緊急メッセージ送受信部１１は、被災情報ビットが設定されていた場合、ヘッダを付加し、Ｓ５，Ｓ６の宛先サーバ情報に従い、ＣＮ経由で緊急メッセージを情報伝達装置６に送信する（Ｓ７）。情報伝達装置６では、被災情報ビットと移動機加入者識別番号より加入者の被災状況を判断し、この被災情報を内部情報として保持する（Ｓ８）。
【００７９】
以上、詳細に説明したように、本発明によれば、無線基地局を中心に移動体通信サービス全体から見て回線が繋がりにくくなり、サービスが全く利用できなくなるという事態を回避することができる緊急情報伝達サービスシステムを提供することができる。
【００８０】
（付記１）
移動機、無線基地局、無線ネットワーク制御装置、交換機及び情報伝達装置よりなる移動通信システムにおいて、前記移動機に、被害状態を示す被災情報ビットを含む初期信号を送信する信号送受信部を、前記無線ネットワーク制御装置に、移動機から送信された初期信号に含まれた被災情報ビットを解析する接続要求信号制御部と、該接続要求信号制御部からの制御信号を前記情報伝達装置に送信する緊急メッセージ送受信部を、具備して構成される緊急情報伝達サービスシステム。
【００８１】
（付記２）
前記情報伝達装置に、前記無線ネットワーク制御装置から送信される緊急メッセージを受信する緊急メッセージ送受信部と、受信した緊急メッセージから被災者の被災情報を特定する伝言メッセージ解析／登録部とを設けたことを特徴とする付記１記載の緊急情報伝達サービスシステム。
【００８２】
（付記３）
前記運用管理サーバからの各無線ネットワーク制御装置に対する災害状態の設定／解除により、各無線ネットワーク制御装置の災害状態を管理する災害状態管理部を前記無線ネットワーク制御装置に設けたことを特徴とする付記１又は２記載の緊急情報伝達サービスシステム。
【００８３】
（付記４）
前記無線ネットワーク制御装置内にルーティング判定部を設け、災害発生時に該無線ネットワーク制御装置と前記情報伝達制御装置間の緊急メッセージ送受信のルーティングを交換機経由或いはネットワーク経由から選択可能にすることを特徴とする付記１乃至３の何れかに記載の緊急情報伝達サービスシステム。
【００８４】
（付記５）
局データ又はオペレーション端末の設定により、ルーティングを可能とすることを特徴とする付記４記載の緊急情報伝達サービスシステム。
【００８５】
（付記６）
前記無線ネットワーク制御装置に宛先サーバ判定部を設け、前記移動機から送信される初期信号の被災情報ビットに接続先情報伝達装置に関する情報を設定することを特徴とする付記１乃至５の何れかに記載の緊急情報伝達サービスシステム。
【００８６】
（付記７）
局データ又はオペレーション端末又は移動機の宛先指定を行なうことを特徴とする付記６記載の緊急情報伝達サービスシステム。
【図面の簡単な説明】
【００８７】
【図１】本発明の動作概要を示す図である。
【図２】本発明の情報伝達シーケンスを示す図である。
【図３】本発明の一実施の形態例を示すブロック図である。
【図４】本発明のＲＡＣＨ信号の第１の例を示す図である。
【図５】本発明のＲＡＣＨ信号の第２の例を示す図である。
【図６】予め作成したメニューを示す図である。
【図７】本発明のエスタブリッシュメント  コーズの設定例を示す図である。
【図８】本発明の第１の動作説明図である。
【図９】ＲＡＣＨ信号の初期ＵＥアイデンティティフォーマットを示す図である。
【図１０】ＩＭＳＩ（ＧＳＭ−ＭＡＰ）を示す図である。
【図１１】ＴＭＳＩ（ＧＳＭ−ＭＡＰ）を示す図である。
【図１２】Ｐ−ＴＭＳＩ（ＧＳＭ−ＭＡＰ）を示す図である。
【図１３】情報伝達装置の動作を示す図である。
【図１４】本発明の第２の動作説明図である。
【図１５】本発明の第３の動作説明図である。
【図１６】本発明の第４の動作説明図である。
【図１７】本発明の第１の動作シーケンスを示す図である。
【図１８】本発明の第２の動作シーケンスを示す図である。
【図１９】本発明の第３の動作シーケンスを示す図である。
【図２０】本発明の第４の動作シーケンスを示す図である。
【図２１】各制御装置とネットワーク構成例を示すブロック図である。
【図２２】従来の情報伝送シーケンスを示す図である。
【図２３】既存のＲＡＣＨ信号を示す図である。
【符号の説明】
【００８８】
１    移動機
１ａ  信号送受信部
２    無線基地局（ノードＢ）
３    無線ネットワーク制御装置（ＲＮＣ）
３ａ  局データ部
３ｂ  トラヒック観測部
３ｃ  宛先サーバ判定部
３ｄ  ルーティング判定部３ｄ
３ｅ  災害状態管理部
４    交換機（ＭＳＣ）
６    情報伝達装置
６ａ  伝言メッセージ機能部
６ｂ  緊急メッセージ送受信部
６ｃ  伝言メッセージ解析／登録部
１０  呼処理部
１１  緊急メッセージ送受信部
１２  接続要求信号制御部
【図１】
0004694980.tif 000002
【図２】
0004694980.tif 000003
【図３】
0004694980.tif 000004
【図４】
0004694980.tif 000005
【図５】
0004694980.tif 000006
【図６】
0004694980.tif 000007
【図７】
0004694980.tif 000008
【図８】
0004694980.tif 000009
【図９】
0004694980.tif 000010
【図１０】
0004694980.tif 000011
【図１１】
0004694980.tif 000012
【図１２】
0004694980.tif 000013
【図１３】
0004694980.tif 000014
【図１４】
0004694980.tif 000015
【図１５】
0004694980.tif 000016
【図１６】
0004694980.tif 000017
【図１７】
0004694980.tif 000018
【図１８】
0004694980.tif 000019
【図１９】
0004694980.tif 000020
【図２０】
0004694980.tif 000021
【図２１】
0004694980.tif 000022
【図２２】
0004694980.tif 000023
【図２３】
0004694980.tif 000024